(57)【要約】【課題】複数の電線を結束部材で巻き付ける際に、結束部材の先端が電線に入り込むことを防止する。【解決手段】本明細書によって開示される電線カバー１０は、電線Ｗを保護しつつ外部に導出させる電線カバー１０であって、電線Ｗを挿通させる電線挿通部４０と、電線挿通部４０の外周側に周設され、Ｗ電線の挿通方向とは交差する方向に結束部材５０を挿通させる結束部材挿通部４１と、結束部材挿通部４１に挿通させた結束部材５０を電線挿通部４０の外部に導出させる結束部材導出部４３と、電線挿通部４０の外周側に周設され、結束部材導出部４３から電線挿通部４０の外部に導出された結束部材５０を電線Ｗとともに巻き付けることで電線Ｗを固定する電線固定部４２とを備えた構成とした。【選択図】図４
2017130401.tif 000002
【特許請求の範囲】
【請求項１】
電線を保護しつつ外部に導出させる電線カバーであって、
前記電線を挿通させる電線挿通部と、
前記電線挿通部の外周側に周設され、前記電線の挿通方向とは交差する方向に結束部材を挿通させる結束部材挿通部と、
前記結束部材挿通部に挿通させた前記結束部材を前記電線挿通部の外部に導出させる結束部材導出部と、
前記電線挿通部の外周側に周設され、前記結束部材導出部から前記電線挿通部の外部に導出された前記結束部材を前記電線とともに巻き付けることで前記電線を固定する電線固定部とを備えた電線カバー。
【請求項２】
前記電線挿通部は、上方に開口するＵ字状をなし、前記電線挿通部の下端部に前記結束部材導出部が設けられている請求項１に記載の電線カバー。
【請求項３】
前記結束部材挿通部と前記電線固定部の間に前記結束部材導出部が設けられている請求項１または請求項２に記載の電線カバー。
【請求項４】
前記結束部材導出部においては、前記結束部材挿通部よりも前記電線固定部のほうが前記電線挿通部に近い位置に配されている請求項１から請求項３のいずれか一項に記載の電線カバー。
【請求項５】
前記電線固定部は、前記結束部材が前記電線の挿通方向に位置ずれすることを防ぐ一対のずれ防止壁を備えている請求項１から請求項４のいずれか一項に記載の電線カバー。
【発明の詳細な説明】
【技術分野】
【０００１】
本明細書によって開示される技術は、電線カバーに関する。
【背景技術】
【０００２】
従来、幹線から分岐した枝線の先端に接続された端子を収容するコネクタとして、特開２０１５−１０３３１６号公報に記載のものが知られている。コネクタの枝線の引出面側には、コネクタカバーが組み付けられている。コネクタカバーは、結束バンドが取り付けられる係止凹部を有している。結束バンドは、矩形状の本体部と、本体部に基端が接続されて長尺状に延びるバンド部と、本体部に貫通形成されたバンド挿通孔と、本体部に突設された係止突起と、を有している。バンド部を幹線に巻き付けた状態でバンド挿通孔に差し込むことでバンド部が抜け止めされる。また、係止突起が係止凹部に挿入されて係合することで結束バンドがコネクタカバーに取り付けられる。
【先行技術文献】
【特許文献】
【０００３】
【特許文献１】特開２０１５−１０３３１６号公報
【発明の概要】
【発明が解決しようとする課題】
【０００４】
しかしながら、上記のコネクタカバーでは、バンド部を幹線の外周に巻き付ける途中でバンド部の先端が幹線に入り込む可能性があり、バンド部によって固定されないフリーの電線が発生するおそれがある。
【課題を解決するための手段】
【０００５】
本明細書によって開示される電線カバーは、電線を保護しつつ外部に導出させる電線カバーであって、前記電線を挿通させる電線挿通部と、前記電線挿通部の外周側に周設され、前記電線の挿通方向とは交差する方向に結束部材を挿通させる結束部材挿通部と、前記結束部材挿通部に挿通させた前記結束部材を前記電線挿通部の外部に導出させる結束部材導出部と、前記電線挿通部の外周側に周設され、前記結束部材導出部から前記電線挿通部の外部に導出された前記結束部材を前記電線とともに巻き付けることで前記電線を固定する電線固定部とを備えた構成とした。
【０００６】
このような構成によると、結束部材挿通部に結束部材を進入させることにより結束部材の先端が電線挿通部の内部に進入することを回避できる。したがって、複数の電線を結束部材で巻き付ける際に、結束部材の先端が電線に入り込むことを防止することができる。
【０００７】
本明細書によって開示される電線カバーは、以下の構成としてもよい。
前記電線挿通部は、上方に開口するＵ字状をなし、前記電線挿通部の下端部に前記結束部材導出部が設けられている構成としてもよい。
このような構成によると、結束部材挿通部に結束部材を挿通させておくと、結束部材が結束部材挿通部に沿って内側に変形することになり、反力によって結束部材が外側に開こうとする。このため、結束部材の先端が結束部材導出部に進入しやすくなって、結束部材導出部から結束部材を電線挿通部の外部に導出することができる。
【０００８】
前記結束部材挿通部と前記電線固定部の間に前記結束部材導出部が設けられている構成としてもよい。
このような構成によると、結束部材が結束部材導出部から外部に導出された後に、結束部材を電線固定部に巻き付けやすくなる。
【０００９】
前記結束部材導出部においては、前記結束部材挿通部よりも前記電線固定部のほうが前記電線挿通部に近い位置に配されている構成としてもよい。
このような構成によると、結束部材挿通部と電線固定部が結束部材導出部の両側において段差をもって配されるため、結束部材の先端が段差に進入し、結束部材をそのまま電線挿通部の外部に導出することができる。
【００１０】
前記電線固定部は、前記結束部材が前記電線の挿通方向に位置ずれすることを防ぐ一対のずれ防止壁を備えている構成としてもよい。
このような構成によると、結束部材が一対のずれ防止壁によって電線の挿通方向に位置ずれすることを防ぐことができる。
【発明の効果】
【００１１】
本明細書によって開示される電線カバーによれば、複数の電線を結束部材で巻き付ける際に、結束部材の先端が電線に入り込むことを防止することができる。
【図面の簡単な説明】
【００１２】
【図１】実施形態１における電線カバーの斜視図
【図２】電線カバーの正面図
【図３】図２におけるＡ−Ａ線断面図
【図４】図３の状態から結束部材を結束部材挿通部に挿通させた状態を示した断面図
【図５】結束部材を巻き付けることで電線を電線固定部に固定した状態を示した断面図
【図６】実施形態２における電線カバーの斜視図
【図７】電線カバーにおける電線固定部側の半割体を示した正面図
【図８】図７におけるＢ−Ｂ線断面図
【図９】図８の状態から結束部材を結束部材挿通部に挿通させた状態を示した断面図
【図１０】結束部材を巻き付けることで電線を電線固定部に固定した状態を示した断面図
【発明を実施するための形態】
【００１３】
＜実施形態１＞
実施形態１を図１から図５の図面を参照しながら説明する。本実施形態１の電線カバー１０は、図１に示すように、図示しないコネクタの背面側に取り付けられるコネクタ取付部２０と、コネクタの背面から後方に引き出された電線Ｗを側方に屈曲させて外部に導出させる電線導出部３０とを備えて構成されている。電線カバー１０におけるコネクタ取付部２０から電線導出部３０にかけての領域は、電線Ｗの引き出し方向に開口する形態とされ、この開口から電線Ｗを電線カバー１０の内部に収容可能とされている。通常、複数の電線Ｗが電線カバー１０の内部に収容され、電線カバー１０は、これらの電線Ｗを一括して保護しつつ、電線Ｗをまっすぐ導出するのではなく曲げて導出するための部材とされている。
【００１４】
電線導出部３０は、略Ｕ字状をなして開口する形態をなし、底板３１と、底板３１の両側縁から上方に立ち上がる一対の側壁３２とを備えて構成されている。一対の側壁３２は、互いに対向する配置で平行に配されている。また、底板３１には、図２に示すように、電線Ｗの導出方向（図２における図示下方向）に並んで配された２条のリブ３３が設けられている。２条のリブ３３は、電線Ｗの導出方向と直交する配置で平行に配されている。電線Ｗが電線カバーの内部に収容されると、電線Ｗは、反力によって底板３１側に開こうとすることを規制するように、２条のリブ３３によって支持された状態となる。
【００１５】
図３に示すように、電線導出部３０のうちコネクタ取付部２０側となる内部側は、略Ｕ字状をなして上方に開口する形態をなす電線挿通部４０とされ、電線挿通部４０の左右両側には、結束部材挿通部４１と電線固定部４２が設けられている。結束部材挿通部４１は、電線挿通部４０の外周側に周設され、図３における図示左側の側壁３２から底壁３１にかけての領域を電線挿通部４０の外部側に膨出させた形態とされている。したがって、電線挿通部４０の内部と結束部材挿通部４１の内部とは、互いに連通している。結束部材挿通部４１は、電線挿通部４０の外周側に周設されており、リブ３３よりも外周側に位置している。このため、電線Ｗを電線挿通部４０に挿通させた際に、電線Ｗは結束部材挿通部４１の内部に進入しないことになる。
【００１６】
一方、電線固定部４２は、底壁３１から図３における図示右側の側壁３２にかけての領域に設けられ、電線挿通部４０の一部を構成している。結束部材導出部４３は、底板３１のほぼ中央に位置して設けられ、結束部材挿通部４１の下端部４１Ａと電線固定部４２の下端部４２Ａとによって構成されている。結束部材導出部４３の内部は、結束部材挿通部４１の内部と連通し、図３の図示右下方向に開口する形態とされている。
【００１７】
底板３１から図３における図示右側の側壁３２にかけての外周側には、一対のずれ防止壁４４が設けられている。一対のずれ防止壁４４は、結束部材挿通部４１の下端部４１Ａから電線固定部４２の上端部４２Ｂに亘って設けられている。言い換えると、結束部材挿通部４１と電線固定部４２の間に結束部材導出部４３が設けられ、結束部材導出部４３においては、結束部材挿通部４１よりも電線固定部４２のほうが電線挿通部４０に近い位置に配されている。一対のずれ防止壁４４の間には、結束部材５０が通されるようになっており、結束部材５０が電線固定部４２に対して電線Ｗの挿通方向に位置ずれしないようになっている。
【００１８】
電線カバー１０は以上のような構成であって、続いてその作用を説明する。電線カバー１０をコネクタの背面側に取り付けると、複数の電線Ｗが電線挿通部４０の内部に挿通された状態となる。次に、結束部材５０を結束部材挿通部４１に挿通させていくと、結束部材５０が電線Ｗに入り込むことはなく（複数の電線Ｗの束に突き刺さることはなく）、結束部材導出部４３に至る。図４に示すように、結束部材５０が結束部材導出部４３で電線挿通部４０の外部に導出された後、結束部材５０を一対のずれ防止壁４４の間に通し、図５に示すように、結束部材５０を締め付けると、複数の電線Ｗが電線固定部４２とともに結束部材５０に巻き付けられ、複数の電線Ｗが電線固定部４２に固定される。
【００１９】
以上のように本実施形態１では、結束部材挿通部４１に結束部材５０を進入させることにより結束部材５０の先端が電線挿通部４０の内部に進入することを回避できる。したがって、複数の電線Ｗを結束部材５０で巻き付ける際に、結束部材５０の先端が電線Ｗに入り込むことを防止することができる。
【００２０】
電線挿通部４０は、上方に開口するＵ字状をなし、電線挿通部４０の下端部に結束部材導出部４３が設けられている構成としてもよい。
このような構成によると、結束部材挿通部４１に結束部材５０を挿通させておくと、結束部材５０が結束部材挿通部４１に沿って内側に変形することになり、反力によって結束部材５０が外側に開こうとする。このため、結束部材５０の先端が結束部材導出部４３に進入しやすくなって、結束部材導出部４３から結束部材５０を電線挿通部４０の外部に導出することができる。
【００２１】
結束部材挿通部４１と電線固定部４２の間に結束部材導出部４３が設けられている構成としてもよい。
このような構成によると、結束部材５０が結束部材導出部４３から外部に導出された後に、結束部材５０を電線固定部４２に巻き付けやすくなる。
【００２２】
結束部材導出部４３においては、結束部材挿通部４１よりも電線固定部４２のほうが電線挿通部４０に近い位置に配されている構成としてもよい。
このような構成によると、結束部材挿通部４１と電線固定部４２が結束部材導出部４３の両側において段差をもって配されるため、結束部材５０の先端が段差に進入し、結束部材５０をそのまま電線挿通部４０の外部に導出することができる。
【００２３】
電線固定部４２は、結束部材５０が電線Ｗの挿通方向に位置ずれすることを防ぐ一対のずれ防止壁４４を備えている構成としてもよい。
このような構成によると、結束部材５０が一対のずれ防止壁４４によって電線Ｗの挿通方向に位置ずれすることを防ぐことができる。
【００２４】
＜実施形態２＞
次に、実施形態２を図６から図１０の図面を参照しながら説明する。本実施形態２の電線カバー１１０は、一対の半割体１１１、１１２を互いに組み付けることで構成されている。実施形態１と同様の構成については、実施形態１で使用した符号に１００を足した符号を用いるものとし、重複する説明については省略する。一対の半割体１１１、１１２のうち図６における図示手前側の半割体１１１には、実施形態１の電線挿通部４０と同様の電線挿通部１４０が設けられている。
【００２５】
電線挿通部１４０は、図６および図７に示すように、電線導出部１３０から電線Ｗの導出方向に張り出した位置に設けられている。図８に示すように、結束部材挿通部１４１は、実施形態１の結束部材挿通部４１よりも深い溝形状とされている。つまり、結束部材挿通部１４１は、電線挿通部１４０からできるだけ離れた位置に設けられており、結束部材１５０が電線Ｗに入り込むことを確実に防止する点においては実施形態１よりも本実施形態２の方が優れている。一方、結束部材導出部１４３は、実施形態１の結束部材導出部４３よりも段差の高低差が小さくなっており、結束部材１５０の挿入しやすさという点においては実施形態１の結束部材導出部４３の方が優れている。
【００２６】
＜他の実施形態＞
本明細書によって開示される技術は上記記述及び図面によって説明した実施形態１、２に限定されるものではなく、例えば次のような種々の態様も含まれる。
（１）上記実施形態１、２では結束部材挿通部４１、１４１の内部が電線挿通部４０、１４０の内部と連通する形態としているものの、結束部材挿通部の内部と電線挿通部の内部とを区画する隔壁を設けてもよい。
【００２７】
（２）上記実施形態１、２では電線挿通部４０、１４０が上方に開口するＵ字状とされているものの、電線挿通部は閉じた円環状であってもよい。
【００２８】
（３）上記実施形態１、２では結束部材導出部４３、１４３が段差を有する形状とされているものの、結束部材導出部は段差を有しない形状としてもよい。
【００２９】
（４）上記実施形態１、２では電線固定部４２、１４２が一対のずれ防止壁４４、１４４を備えているものの、いずれか一方のずれ防止壁４４、１４４のみを備えるものでもよい。
【符号の説明】
【００３０】
１０、１１０…電線カバー
２０、１２０…コネクタ取付部
４０、１４０…電線挿通部
４１、１４１…結束部材挿通部
４２、１４２…電線固定部
４３、１４３…結束部材導出部
４４、１４４…ずれ防止壁
５０、１５０…結束部材
Ｗ…電線
【図１】
2017130401.tif 000003
【図２】
2017130401.tif 000004
【図３】
2017130401.tif 000005
【図４】
2017130401.tif 000006
【図５】
2017130401.tif 000007
【図６】
2017130401.tif 000008
【図７】
2017130401.tif 000009
【図８】
2017130401.tif 000010
【図９】
2017130401.tif 000011
【図１０】
2017130401.tif 000012